(57)【要約】【課題】装置の動作中や管理者の確認が得られない状況では開閉部材が自由に開閉することができないようにし、動作不良、装置の破損及び収納物の盗難等を確実に防止するとともに、外観に装置全体としての一体感を与える。【解決手段】用紙カセット３１及び３２のそれぞれの前面に、把手部材６を露出位置と退避位置とに変位自在に備えた。各把手部材６は、用紙カセット３１又は３２を開閉する際に把持される。したがって、把手部材６が露出位置にある用紙カセット３１は開閉できるが、把手部材６が退避位置にある用紙カセット３２は開閉することができない。各把持部材６の前面は、用紙カセット３１及び３２のそれぞれの外表面の一部によって構成した。把持部材６が退避位置にある場合には、把持部材６の前面は用紙カセット３１又は３２のそれぞれの外表面と面一になる。【選択図】図１
2006176220.tif 000002
【特許請求の範囲】
【請求項１】
記録媒体を収納する給紙部と、この給紙部に収納された記録媒体に対して画像データに基づいて画像の形成を行う画像形成部と、外部に対して開閉自在にされた開閉部材と、この開閉部材の外表面の一部において把持可能な露出状態と把持不可能な退避状態とに選択的に変化自在に配置された把手部材と、この把手部材を露出状態又は退避状態に変化させる移動機構と、を備えたことを特徴とする画像形成装置。
【請求項２】
前記把手部材は、前記退避状態にある時に、前記開閉部材の外表面における前記一部を他の部分と同一面に位置させることを特徴とする請求項１の記載の画像形成装置。
【請求項３】
前記把手部材は前記開閉部材の外表面の一部を含み、前記移動機構は前記開閉部材の外表面の一部を開閉することを特徴とする請求項２に記載の画像形成装置。
【請求項４】
前記把手部材は、前記移動機構によって前記開閉部材の外表面から突出する位置と前記開閉部材の内部に収納される位置との間に変位自在であることを特徴とする請求項２に記載の画像形成装置。
【請求項５】
複数の操作部材が配置された操作パネル、及び、この操作パネルにおける所定の操作部材の操作による操作情報に基づいて前記移動機構を動作させて前記把手部材を変化させる制御部と、をさらに備えたことを特徴とする請求項１に記載の画像形成装置。
【請求項６】
前記開閉部材は、前記給紙部において用紙を収納する用紙カセットであることを特徴とする請求項１に記載の画像形成装置。
【発明の詳細な説明】
【技術分野】
【０００１】
この発明は、記録媒体に画像データに基づく画像を形成する画像形成装置に関し、特に、開閉部材を開閉する際に把持される把手の改良に関する。
【背景技術】
【０００２】
用紙等の記録媒体に画像を形成する複写機等の画像形成装置では、開閉部材として記録媒体を収納した用紙カセットを外部に開閉自在にして給紙部に備えている。用紙カセット等の外部に開閉自在にされた開閉部材には、開閉操作時に把持される把手部材が備えられている。
【０００３】
画像形成装置では、画像形成動作時に、給紙部の用紙カセットに収納されている用紙を１枚ずつ画像形成部に搬送する。したがって、画像形成動作の開始後に、用紙カセットが不用意に開放されると用紙のジャムや装置の搬送機構の破損を生じる。
【０００４】
一方、原稿台上に載置された原稿の画像を用紙に再現する複写機では、複写動作の開始後に原稿台に１枚ずつ原稿を搬送する自動原稿送り装置を開閉部材として備えたものがあり、この原稿自動送り装置は原稿台上面を開閉自在に配置されている。したがって、複写動作の開始後に自動原稿送り装置が開閉されると原稿を原稿台上に正確に載置することができなくなる。
【０００５】
そこで、従来の複写機では、自動原稿送り装置の開閉時に把持される把手部材（取手部）に遮蔽部材を備え、原稿を搬送中の自動原稿送り装置が開閉されることを防止するようにしたものがある（例えば、特許文献１参照。）。特許文献１に記載された構成では、自動原稿送り装置に原稿がセットされた時に「取手部のシャッタを閉めて下さい」とのメッセージを表示部に表示させ、そのメッセージに基づいて操作者がシャッタを閉じることで、他の操作者が誤って自動原稿送り装置を開放することを防止する。
【０００６】
特許文献１に記載された構成を用紙カセット等の他の開閉部材に適用することで、画像形成動作中に用紙カセットが不用意に開放されることを防止できるとも考えられる。
【特許文献１】特開平２−１８１１７５号公報
【発明の開示】
【発明が解決しようとする課題】
【０００７】
しかしながら、特許文献１に記載された構成は、装置の状態に応じてシャッタを制御するものではなく、故意による開閉部材の開閉操作を禁止することはできない。このため、画像形成装置の動作中における開閉部材の開閉操作によって用紙や原稿のジャム及び装置の破損を完全に防止することはできない。また、特許文献１の構成を用紙カセットに適用しても、用紙カセットを自由に開閉できることから、用紙の盗難を防止することができない。さらに、外観上、取手部が目立ち、装置全体としての一体感に欠ける。
【０００８】
この発明の目的は、開閉部材に設けた把手部材を所定の操作情報に基づいて把持可能な状態又は把持不可能な状態に変化させることができるようにし、装置の動作中や管理者の確認が得られない状況では開閉部材が自由に開閉することができないようにし、動作不良、装置の破損及び収納物の盗難等を確実に防止することができるとともに、外観に装置全体としての一体感を与えることができる画像形成装置を提供することにある。
【課題を解決するための手段】
【０００９】
この発明の画像形成装置は、上記の課題を解決するための手段として、以下の構成を備えたものである。
【００１０】
（１）記録媒体を収納する給紙部と、この給紙部に収納された記録媒体に対して画像データに基づいて画像の形成を行う画像形成部と、外部に対して開閉自在にされた開閉部材と、この開閉部材の外表面の一部において把持可能な露出状態と把持不可能な退避状態とに選択的に変化自在に配置された把手部材と、この把手部材を露出状態又は退避状態に変化させる移動機構と、を備えたことを特徴とする。
【００１１】
この構成においては、開閉部材を開閉させる際に把持されるべく開閉部材の外表面の一部に配置された把手部材が、移動機構によって把持可能な露出状態と把持不可能な退避状態とに変化する。したがって、装置の動作中や管理者の確認が得られない状況では、把手部材を移動機構によって把持不可能な退避状態にしておくことで、開閉部材が自由に開閉することができなくなる。また、装置の動作停止中や管理者の確認が得られる状況では、把手部材を移動機構によって把持可能な露出状態にすることで、開閉部材を自由に開閉させることができる。
【００１２】
（２）前記把手部材は、前記退避状態にある時に、前記開閉部材の外表面における前記一部を他の部分と同一面に位置させることを特徴とする。
【００１３】
この構成においては、把手部材が把持不可能な退避状態にされている時には、開閉部材の外表面において把手部材が設けられている部分が他の部分と同一面に位置する。したがって、開閉部材は、開閉されない状況では、外表面が滑らかな状態にされる。
【００１４】
（３）前記把手部材は前記開閉部材の外表面の一部を含み、前記移動機構は前記開閉部材の外表面の一部を開閉することを特徴とする。
【００１５】
この構成においては、把手部材に含まれる開閉部材の外表面の一部が移動機構によって開閉されることで、把手部材が把持可能な露出状態又は把持不可能な退避状態にされる。したがって、開閉部材の外表面の一部が開放されることで把手部材が把持可能な状態に露出し、開閉部材の外表面の一部が閉鎖されることで把手部材が把持不可能な状態にされるとともに開閉部材の外表面が滑らかな状態に保たれる。
【００１６】
（４）前記把手部材は、前記移動機構によって前記開閉部材の外表面から突出する位置と前記開閉部材の内部に収納される位置との間に変位自在であることを特徴とする。
【００１７】
この構成においては、把手部材が移動機構によって開閉部材の外表面から突出する位置又は開閉部材の内部に収納さる位置に移動する。したがって、開閉部材を開閉させる場合には、把手部材を開閉部材の外表面から突出させることで把手部材を把持可能な状態になる。また、開閉部材を開閉させない場合には、把手部材を開閉部材の内部に収納することで把手部材を把持不可能な状態になる。
【００１８】
（５）複数の操作部材が配置された操作パネル、及び、この操作パネルにおける所定の操作部材の操作による操作情報に基づいて前記移動機構を動作させて前記把手部材を変化させる制御部と、をさらに備えたことを特徴とする。
【００１９】
この構成においては、操作パネルにおいて所定の操作部材が操作された際に、移動機構によって把手部材の状態が変化する。したがって、装置の動作の開始を指示する旨の操作や開閉部材の開閉を禁止する旨の操作がされた時に把手部材を退避状態にするように移動機構を動作させ、開閉部材の開閉を許可する旨の操作がされた時に把持部材を露出状態にするように移動機構を動作させることで、装置の動作中や管理者の確認が得られない状況で開閉部材が開閉されることが防止される。
【００２０】
（６）前記開閉部材は、前記給紙部において用紙を収納する用紙カセットであることを特徴とする。
【００２１】
この構成においては、給紙部において用紙を収納する用紙カセットを開閉させる際に把持される把手部材が、移動機構によって把持可能な状態又は把持不可能な状態にされる。したがって、装置の動作中や管理者の確認が得られない状況で用紙カセットが開閉されることが防止され、用紙のジャムや給紙部の破損、及び、用紙の盗難が防止される。
【発明の効果】
【００２２】
この発明の画像形成装置は、以下の効果を奏するものである。
【００２３】
（１）装置の動作中や管理者の確認が得られない状況では、把手部材を移動機構によって把持不可能な退避状態にしておくことで、開閉部材が自由に開閉されることを確実に防止することができる。これによって、動作不良、装置の破損及び収納物の盗難等を確実に防止することができる。また、装置の動作停止中や管理者の確認が得られる状況では、把手部材を移動機構によって把持可能な露出状態にすることで開閉部材を開閉できるようにし、メンテナンス作業や収納物の補給作業等の必要な作業を適切に実行できる。
【００２４】
（２）開閉部材が開閉されない状況では、開閉部材の外表面を滑らかな状態にすることができる。これによって、開閉部材の外観に装置全体としての一体感を与えることができる。
【００２５】
（３）開閉部材の外表面の一部を開放することで把手部材を把持可能な状態に露出させ、開閉部材を開閉できるようにし、開閉部材の外表面の一部を閉鎖することで把手部材を把持不可能な状態にするとともに開閉部材の外表面を滑らかな状態に保つことができる。
【００２６】
（４）把手部材を開閉部材の外表面から突出させることで把手部材を把持可能な状態にして開閉部材を開閉できるようにし、把手部材を開閉部材の内部に収納することで把手部材を把持不可能な状態にして開閉部材を開閉できないようにすることができる。
【００２７】
（５）装置の動作の開始を指示する旨の操作や開閉部材の開閉を禁止する旨の操作がされた時に把手部材を退避状態にするように移動機構を動作させ、開閉部材の開閉を許可する旨の操作がされた時に把持部材を露出状態にするように移動機構を動作させることで、装置の動作中や管理者の確認が得られない状況で開閉部材が開閉されることを確実に防止できる。
【００２８】
（６）装置の動作中や管理者の確認が得られない状況で用紙カセットが開閉されることを防止し、用紙のジャムや給紙部の破損、及び、用紙の盗難を確実に防止できる。
【発明を実施するための最良の形態】
【００２９】
以下に、この発明の実施形態に係る画像形成装置を図面を参照して詳細に説明する。図１は、この発明の実施形態に係る画像形成装置であるディジタル複合機の外観図である。画像形成装置１００は、スキャナ部１、画像形成部２、給紙部３及び排出部４から構成されている。
【００３０】
スキャナ部１は、上面に自動原稿送り装置（以下「ＡＤＦ」という。）１１を備えている。ＡＤＦ１１は、背面側をヒンジとして回動自在にされており、スキャナ部１の上面に配置された原稿台１２の上方を開閉自在に被覆している。ＡＤＦ１１は、原稿トレイ１３にセットされた原稿を一枚ずつ原稿台１２に搬送する。スキャナ部１は、原稿台１２に載置された原稿の画像情報を読み取る。
【００３１】
画像形成部２は、スキャナ部１が読み取った画像情報に基づいて作成した画像データにより、給紙部３から給紙された用紙に画像を形成する。画像形成済の用紙は排紙部４において排紙トレイ４１又は４２上に収納される。
【００３２】
操作パネル５は、スキャナ部１の前面から突出して備えられている。操作パネル５には、ディスプレイ５１、テンキー５２、スタートキー５等が配置されている。
【００３３】
ディスプレイ５１は、画像形成装置１００の動作状態や動作条件の設定内容を表示する。テンキー５２は、“０”から“９”までの置数キー、アスタリスクキー及びプログラムキー等を含む。スタートキー５３には、画像形成動作の開始を指示する機能が割り当てられている。
【００３４】
給紙部３には、この発明の開閉部材である用紙カセット３１及び３２が、ディジタル複合機１００の前面側に開閉自在に装着されている。用紙カセット３１及び３２のそれぞれは、所定枚数の用紙を収納する。用紙カセット３１及び３２のそれぞれの前面には、把手部材６が露出位置と退避位置とに変位自在に備えられている。図１においては、上段の用紙カセット３１の把手部材６が露出位置に位置しており、下段の用紙カセット３２の把手部材６が退避位置に位置している。
【００３５】
各把手部材６は、用紙カセット３１又は３２を開閉する際に把持される。したがって、把手部材６が露出位置にある用紙カセット３１は開閉できるが、把手部材６が退避位置にある用紙カセット３２は開閉することができない。
【００３６】
各把持部材６の前面は、用紙カセット３１及び３２のそれぞれの外表面の一部によって構成されている。把持部材６が退避位置にある場合には、把持部材６の前面は用紙カセット３１及び３２のそれぞれの外表面と面一になる。これによって、用紙カセット３１及び３２を開閉しない状況では、ディジタル複合機１００の前面側に把手部材６が露出せず、外観上の一体感が保たれ、煩雑なイメージを与えることがない。
【００３７】
図２は、上記ディジタル複合機の含む画像形成システムの構成を示す図である。画像形成システム１０は、コンビニエンスストア等の店舗２００内に設置される。画像形成システム１０は、ディジタル複写機１００に、パーソナルコンピュータ（以下、ＰＣという。）１０２及び金銭処理装置１０３を接続して構成されている。
【００３８】
ディジタル複合機１００は、顧客に対するコピー処理、ファックス送信処理及び画像情報提供処理、並びに、店員によるプリント処理に使用される。コピー処理では、顧客が持参した原稿から読み取った画像を用紙上に形成する。ファックス送信処理では、顧客が持参した原稿の画像情報を公衆電話回線網３００を介して顧客が指定したファクス装置４００に送信する。画像情報提供処理では、予め記憶しているサービス用の画像データのうちで顧客が指定した画像データに基づく画像を用紙上に形成する。プリント処理では、予め記憶している業務用の画像データのうちで店員が指定した画像データに基づく画像を用紙上に形成する。
【００３９】
顧客に対するコピー処理、ファックス送信処理及び画像情報提供処理は、金銭処理装置１０３における課金処理に基づいて行われる。即ち、金銭処理装置１０３は、各処理の実行に先立って顧客による金銭の投入又は課金用カード（キャッシュカードやプリペイドカード等）の挿入を受け付け、投入金額やカードの使用限度額等の金額情報をディジタル複写機１に送信する。ディジタル複合機１００は、コピー処理、ファックス送信処理及び画像情報提供処理について予め定められた単価情報を記憶している。ディジタル複合機１００は、単価情報に基づいて金銭処理装置３から送信された金額情報を超えない範囲でコピー処理、ファックス送信処理及び画像情報提供処理に係る動作を実行する。
【００４０】
画像情報提供処理に係るサービス用の画像データ及びプリント処理に係る業務用の画像データは、ＰＣ１０２から予め送信される。サービス用の画像データは不特定の出力対象（顧客）に提供すべき画像データであり、業務用の画像データは特定の出力対象（店員）に提供すべき画像データである。ＰＣ１０２は、画像データに少なくとも種別情報及び認証情報を付与してディジタル複合機１００に送信する。種別情報は、各画像データが提供用であるか店内用であるかを特定する情報である。認証情報は、各画像データを特定するための情報であり、例えば４桁の数字によって構成されたコード番号である。顧客又は店員は、対応する認証番号をディジタル複合機１００に入力することにより、所望の画像データを選択する。
【００４１】
ディジタル複合機１００において、画像形成部２及び給紙部３は、プロセスコントロールユニット（以下、ＰＣＵという。）１１１によって制御される。スキャナ部１はイメージコントロールユニット（以下、ＩＣＵという。）１１８によって制御される。ＡＤＦ１１は、オリジナルコントロールユニット（以下、ＯＣＵという。）１１９によって制御される。操作パネル５は、オペレーションパネルコントロールユニット( 以下、ＯＰＣＵという。) １１２によって制御される。
【００４２】
ＰＣＵ１１１、ＩＣＵ１３１、ＯＣＵ１１９及びＯＰＣＵ１１２は、中央処理ユニット（以下、ＣＰＵという。）１１３によって統括して制御される。ＣＰＵ１１３には、ＲＯＭ及びＲＡＭからなるメモリ１１４、この発明の記憶部であるＨＤＤ１１５、公衆電話回線網３００を介してファックス装置４００との通信を行うファックスインタフェース１１６、及び、ＰＣ２に接続されたプリンタインタフェース１１７が接続されている。
【００４３】
ＰＣ２は、本体２１、ディスプレイ２２、キーボード２３及びマウス２４を備えている。ＰＣ２は、ＣＤ−ＲＯＭやメモリカード等の記録媒体から印刷データを読み込むとともに、ＰＣ２内にインストールされているアプリケーションソフトによる画像データの作成及び編集操作を受け付ける。読み取った画像データや作成又は編集された画像データは、本体２１内に格納された後、ディジタル複合機１００に出力される。
【００４４】
金銭処理装置３は、ＲＯＭ３２及びＲＡＭ３３を備えたＣＰＵ３１からなる制御部３０を備えている。ＣＰＵ３１は、例えば、投入口３４から投入された硬貨の金額を算出し、金額データとしてディジタル複写機１に出力する。ディジタル複合機１００のＣＰＵ１１３は、ＰＣ２から入力された画像データを直ちに画像形成するのではなく、ホールド機能により、一旦ハードディスク１１５内に格納する。そして、ＣＰＵ１１３は、操作パネルにおける特定のキースイッチの操作によって選択された画像データをハードディスク１１５から読み出してＰＣＵ１１１に供給し、画像形成部１１における画像形成処理を行う。
【００４５】
給紙部３には、把手部材６を露出状態と退避状態とに変化される移動機構７が備えられている。この移動機構７は、ＰＣＵ１１１を介してＣＰＵ１１３によって動作を制御される。ＣＰＵ１１３は、ＯＰＣＵ１１２から入力された操作パネル５の操作データに基づいて移動機構７を動作させる。ＣＰＵ１１３が、この発明の制御部に相当する。
【００４６】
一例として、移動機構７は、モータとピニオンギア及びラックギアとによって構成される。モータの回転軸にピニオンギアを固定し、このピニオンギアを把手部材６に取り付けられたラックギアに噛合させる。モータの回転をピニオンギア及びラックギアによって往復動作に変換し、モータの正転時に把手部材６をディジタル複合機６の前面側に移動させ、モータの逆転時に把手部材６をディジタル複合機６の背面側に移動させる。
【００４７】
図３は、上記ＣＰＵ１１３の処理手順の一部を示すフローチャートである。ＣＰＵ１１３は、画像形成動作を開始した後、１枚の用紙に対する画像形成処理が終了する毎に、次に給紙すべき用紙が給紙部３に存在するか否かの判別を行う（Ｓ１，Ｓ２）。給紙部３に給紙すべき用紙がなくなると、ＣＰＵ１１３は、その旨を管理者に報知する（Ｓ３）。この報知は、操作パネル５のディスプレイ５１における管理者へ通知すべき旨のメッセージの表示、及び、ＰＣ１０２への用紙補給要求データの送信等によって行われる。この他、ディジタル複合機１００に備えられた警報器の鳴動によって管理者に報知することもできる。
【００４８】
この状態で、ＣＰＵ１１３は、管理者による用紙カセットの開閉操作の許可情報の入力を待機する（Ｓ４）。この許可情報の入力は、例えば、操作パネル５におけるテンキー５２等の所定の操作、又は、ＰＣ１０２からの許可データの入力によって行われる。いずれにしても、許可情報の入力は管理者によって行われ、テンキー５２等の所定の操作を知らない者やＰＣ１０２を操作できない者は、許可情報を入力することができない。
【００４９】
所定時間内に許可情報が入力されると、ＣＰＵ１１３は、移動機構７を構成するモータを正転駆動して２つの把手部材６を露出位置に突出させる（Ｓ５，Ｓ６）。これによって、作業者は把手部材６を把持することができ、用紙カセット３１又は３２を開放して用紙を補給することができる状態になる。
【００５０】
予め設定された所定時間内に許可情報が入力されなかった場合には、ＣＰＵ１１３は動作を終了する。
【００５１】
ＣＰＵ１１３は、用紙カセット３１及び３２が閉鎖されたか否か、及び、用紙が補給されたか否かの判別を行い（Ｓ７，Ｓ８）、用紙カセット３１及び３２が閉鎖され、かつ、用紙が補給されると、移動機構７を構成するモータを逆転駆動して２つの把手部材６を退避位置に収納する（Ｓ９）。２つの把手部材６が退避位置に収納された状態では、各把手部材６の前面が用紙カセット３１及び３２のそれぞれの外表面と面一にされるため、用紙カセット３１及び３２を開放することができなくなる。
【００５２】
この後、ＣＰＵ１１３は、次の画像データが存在するか否かを判別し（Ｓ１０）、次の画像データが存在する場合にはＳ１に戻り、次の画像データが存在しない場合には動作を終了する。
【００５３】
以上の処理により、画像形成動作が停止している間において、管理者の許可が得られた場合にのみ、把手部材６が把持可能な露出状態にされる。したがって、画像形成動作中や管理者が許可していない状況では、用紙カセット３１又は３２を開閉することができず、用紙のジャム、用紙搬送機構の破損、及び、用紙の盗難を確実に防止することができる。
【００５４】
なお、上記の実施形態では、この発明の実施形態である画像形成装置としてのディジタル複合機１００をコンビニエンスストア２００に設置した場合について説明したが、一般的な事務所等においても、社名を予め印刷した特殊な用紙を用紙カセット３１又は３２に収納している場合があり、用紙カセットの開閉操作を制限することで特殊な用紙の持ち出しを防止してセキュリティの向上を図ることができる。
【００５５】
また、用紙カセット３１又は３２を開閉しない状況では、ディジタル複合機１００の外表面を滑らかにすることで、外観上の違和感を与えることがない。
【００５６】
図４は、この発明の別の実施形態に係る画像形成装置の要部の構成及び動作を示す側面断面図である。この実施形態に係る画像形成装置では、開閉部材８に配置される把手部材６を、開閉部材８の外表面の一部を構成するカバー６１と開閉部材８の内側上部の角部６２とで構成している。また、移動機構７を、復帰バネ７１Ａを備えたソレノイド７１、カム板７２及び付勢バネ７３によって構成している。
【００５７】
把手部材６のカバー６１は、内側下部の支点６３において軸支されている。カバー６１は、支点６３を中心に回転することで、前面が開閉部材８の外表面と面一になる閉鎖状態と、上端部が開閉部材８の内部に引き込まれた開放状態と、の間に変位自在にされている。付勢バネ７３は、弾性力によってカバー６１を開放状態に付勢している。カバー６１の内側下部からは、突起６４が突出している。突起６４は、カム板７２に当接している。
【００５８】
カム板７２は、ソレノイド７１のアクチュエータ７１Ｂに接続されている。ソレノイド７１は、駆動電圧が印加されていない状態で、図４（Ａ）に示すように、復帰バネ７１Ａの弾性力によってアクチュエータ７１Ｂを内部に引き込んでおり、カム板７２の上側部分が突起６４に当接している。
【００５９】
ソレノイド７１に駆動電圧が印加されると、図４（Ｂ）に示すように、復帰バネ７１Ａの弾性力に抗してアクチュエータ７１Ｂが前面側に押し出される。これにともなって、カム板７２が前面側に移動し、突起６４はカム板７２の上側部分に当接しなくなる。このため、カバー６１は、付勢バネ７３の弾性力により、突起６４がカム板７２の傾斜部分に当接するまで背面側に回転し、開閉部材８の内部上方が前面側に開放される。これによって、作業者は、開閉部材８の内部に手を指し入れ、角部６２を把持することで開閉部材８を開閉することができる。
【００６０】
このように、把手部材６を、開閉部材８の外表面の一部を構成するカバー６１と開閉部材８の内側上部の角部６２とで構成することにより、開閉部材８の外表面の一部を開放することで把手部材６を把持可能な状態に露出させて開閉部材８を開閉できるようにし、開閉部材８の外表面の一部を閉鎖することで把手部材６を把持不可能な状態にするとともに開閉部材８の外表面を滑らかな状態に保つことができる。
【００６１】
したがって、画像形成装置の動作状態、及び、管理者の確認の有無に応じて、ソレノイド７１を駆動することにより、開閉部材８が不必要に開閉されることがないようにして装置の故障を防止するとともにセキュリティき向上を図ることができる。また、開閉部材８が開閉されない通常の状態で、画像形成装置の外観上の一体感を保つことができる。
【図面の簡単な説明】
【００６２】
【図１】この発明の実施形態に係る画像形成装置であるディジタル複合機の外観図である。
【図２】上記ディジタル複合機の含む画像形成システムの構成を示す図である。
【図３】上記ディジタル複合機のＣＰＵの処理手順の一部を示すフローチャートである。
【図４】この発明の別の実施形態に係る画像形成装置の要部の構成及び動作を示す側面断面図である。
【符号の説明】
【００６３】
５  操作パネル
６  把手部材
７  移動機構
３１，３２  用紙カセット（開閉部材）
１００  ディジタル複合機（画像形成装置）
【図１】
2006176220.tif 000003
【図２】
2006176220.tif 000004
【図３】
2006176220.tif 000005
【図４】
2006176220.tif 000006